(57)【要約】      （修正有）【課題】躯体の腐朽の発生を防止する笠木構造体を提供する。【解決手段】一対の外壁材４５ａ、４５ｂ及び躯体４０の上方に設置され長手方向に延びる笠木構造体１は、躯体４０の頂部４４を覆うように上方に設置され、短手方向断面が略Ｍ字型であって、頂部４４の天面５０に当接する平坦部６２を備える笠木ベース６１と、笠木ベース６１を覆うように上方に設置され、長手方向に延びる笠木カバー２とから主に構成され、固定手段に含まれるビス７０により笠木ベース６１が躯体４０に取り付けられる。笠木ベース６１は、平坦部６２を上下方向に貫通する穿孔６８と、穿孔６８の周縁に水密に接続され上方に立ち上がる周壁部６９とを備える。これによって、笠木ベース６１の平坦部６２に少量の水が浸入しても、周壁部６９により躯体４０内部に浸入することが阻止され、躯体４０の腐朽を防止する。【選択図】図１
2018184748.tif 000002
【特許請求の範囲】
【請求項１】
一対の外壁材及び躯体の上方に設置され長手方向に延びる笠木構造体であって、
前記躯体の頂部を覆うように上方に設置され、短手方向断面が略Ｍ字型であって、前記頂部の天面に当接する平坦部を備える笠木ベースと、
前記笠木ベースを覆うように上方に設置され、前記長手方向に延びる笠木カバーと、
前記笠木ベースを前記躯体に取り付ける固定手段とを備え、
前記笠木ベースは、
前記平坦部を上下方向に貫通する穿孔と、
前記穿孔の周縁に水密に接続され上方に立ち上がる周壁部とを備えると共に、
前記穿孔に前記固定手段が挿通された、笠木構造体。
【請求項２】
前記固定手段は、前記周壁部の上縁に水密に係合する、請求項１記載の笠木構造体。
【請求項３】
前記固定手段は、
弾性を有し、前記周壁部の外径全周に水密に嵌合し、上下方向に貫通する貫通孔を有するプレート状の板状体と、
前記穿孔及び前記貫通孔に挿通されるビスと、
前記ビスの頭部の下面と前記板状体の上面との間に設置される座金部とを含み、
前記板状体は、その上下方向高さが前記周壁部の上縁よりも高く設定されている、請求項１記載の笠木構造体。
【請求項４】
前記平坦部には、前記平坦部に浸入した水を排出する水切り孔が形成されている、請求項１から請求項３のいずれかに記載の笠木構造体。
【請求項５】
前記水切り孔は、前記平坦部の短手方向端部に形成されており、
前記平坦部の短手方向端部は、平面視において前記外壁下地材の短手方向端部よりも外方側に位置する、請求項４記載の笠木構造体。
【請求項６】
一対の前記外壁材と前記笠木ベースとの間の箇所に設置され、内方から外方への通気経路を横断するように前記長手方向に延び、内方から外方への通気機能及び防水機能を有する一対の通気部材と、前記通気部材を支持する枠体とを備える一対の換気部材を更に備え、
前記通気部材は、断面が四角形形状を有すると共に前記長手方向に延びる棒形状を有し、内方面から外方面へ貫通する複数の通気孔を有する、請求項１から請求項５のいずれかに記載の笠木構造体。
【請求項７】
一対の外壁下地材が一対の前記外壁材の内方に形成され、
前記枠体は、
前記外壁下地材の上端部の外方側に対して垂直方向に延びる第１垂直部と、前記第１垂直部の上端側に接続され、外方に向かってほぼ水平方向に延びる第１水平部と、前記第１水平部の外方側に接続され、垂直下方に延びると共に長手方向に所定間隔で複数の開口が形成された第２垂直部と、前記第２垂直部の下方側に接続され、前記第１垂直部の方向に所定距離を残して延びる第２水平部とを備え、
前記通気部材は、前記第１水平部の下方面と前記第２水平部の上方面との間に覆われるように取り付けられる、請求項６記載の笠木構造体。
【発明の詳細な説明】
【技術分野】
【０００１】
この発明は笠木構造体に関し、特に、塀、バルコニー手摺、パラペット等の躯体の上端部に設置される笠木構造体に関するものである。
【背景技術】
【０００２】
従来、塀、バルコニー手摺、パラペット等の躯体（立上り躯体）の上端部に設置され、腐食やクラック等を防ぐために用いられる笠木構造体が存在する。例えば特許文献１には、外壁下地材及び外壁材の上方に換気部材が設置され、換気部材が、空気は内方から外方へ通過可能であるが水は通過し難い機能を有することにより、躯体内部への水の浸入の防止を図った笠木下換気構造体が開示されている。
【先行技術文献】
【特許文献】
【０００３】
【特許文献１】特開２０１３−１０８３１４号公報
【発明の概要】
【発明が解決しようとする課題】
【０００４】
しかしながら、上記の特許文献１のような従来の笠木構造体では、笠木下領域（躯体の上端部とその上方に設置される笠木との間の箇所）において笠木を躯体に固定するためにビスを上方から打ち込む必要があるため、下方からの雨水の吹き上げにより笠木下領域に水が浸入したとき、ビスを打ち込んだ箇所から躯体に水が浸入し、特に躯体が木材からなる場合には腐朽が発生し得る問題があった。
【０００５】
この発明は、上記のような課題を解決するためになされたもので、躯体の腐朽の発生を防止する笠木構造体を提供することを目的とする。
【課題を解決するための手段】
【０００６】
上記の目的を達成するために、請求項１記載の発明は、一対の外壁材及び躯体の上方に設置され長手方向に延びる笠木構造体であって、躯体の頂部を覆うように上方に設置され、短手方向断面が略Ｍ字型であって、頂部の天面に当接する平坦部を備える笠木ベースと、笠木ベースを覆うように上方に設置され、長手方向に延びる笠木カバーと、笠木ベースを躯体に取り付ける固定手段とを備え、笠木ベースは、平坦部を上下方向に貫通する穿孔と、穿孔の周縁に水密に接続され上方に立ち上がる周壁部とを備えると共に、穿孔に固定手段が挿通されたものである。
【０００７】
このように構成すると、笠木ベースの平坦部に浸入した少量の水は周壁部により更に躯体内部に浸入することを阻止される。
【０００８】
請求項２記載の発明は、請求項１記載の発明の構成において、固定手段は、周壁部の上縁に水密に係合するものである。
【０００９】
このように構成すると、周壁部を乗り越えて躯体内部に浸入しようとする水はその浸入を防止される。
【００１０】
請求項３記載の発明は、請求項１記載の発明の構成において、固定手段は、弾性を有し、周壁部の外径全周に水密に嵌合し、上下方向に貫通する貫通孔を有するプレート状の板状体と、穿孔及び貫通孔に挿通されるビスと、ビスの頭部の下面と板状体の上面との間に設置される座金部とを含み、板状体は、その上下方向高さが周壁部の上縁よりも高く設定されているものである。
【００１１】
このように構成すると、周壁部を乗り越えて躯体内部に浸入しようとする水は板状体によりその浸入を防止される。
【００１２】
請求項４記載の発明は、請求項１から請求項３のいずれかに記載の発明の構成において、平坦部には、平坦部に浸入した水を排出する水切り孔が形成されているものである。
【００１３】
このように構成すると、平坦部に浸入した少量の水は水切り孔により排出される。
【００１４】
請求項５記載の発明は、請求項４記載の発明の構成において、水切り孔は、平坦部の短手方向端部に形成されており、平坦部の短手方向端部は、平面視において外壁下地材の短手方向端部よりも外方側に位置するものである。
【００１５】
このように構成すると、外壁下地材より外方側において、水切り孔により水が排出される。
【００１６】
請求項６記載の発明は、請求項１から請求項５のいずれかに記載の発明の構成において、一対の外壁材と笠木ベースとの間の箇所に設置され、内方から外方への通気経路を横断するように長手方向に延び、内方から外方への通気機能及び防水機能を有する一対の通気部材と、通気部材を支持する枠体とを備える一対の換気部材を更に備え、通気部材は、断面が四角形形状を有すると共に長手方向に延びる棒形状を有し、内方面から外方面へ貫通する複数の通気孔を有するものである。
【００１７】
このように構成すると、通気孔を介して内方から外方への通気機能及び防水機能を有する通気部材となる。
【００１８】
請求項７記載の発明は、請求項６記載の発明の構成において、一対の外壁下地材が一対の外壁材の内方に形成され、枠体は、外壁下地材の上端部の外方側に対して垂直方向に延びる第１垂直部と、第１垂直部の上端側に接続され、外方に向かってほぼ水平方向に延びる第１水平部と、第１水平部の外方側に接続され、垂直下方に延びると共に長手方向に所定間隔で複数の開口が形成された第２垂直部と、第２垂直部の下方側に接続され、第１垂直部の方向に所定距離を残して延びる第２水平部とを備え、通気部材は、第１水平部の下方面と第２水平部の上方面との間に覆われるように取り付けられるものである。
【００１９】
このように構成すると、通気部材は枠体に一体化される。
【発明の効果】
【００２０】
以上説明したように、請求項１記載の発明は、笠木ベースの平坦部に浸入した少量の水は周壁部により更に躯体内部に浸入することを阻止されるため、笠木構造体の防水性能が向上し、躯体の腐朽を防止する。
【００２１】
請求項２記載の発明は、請求項１記載の発明の効果に加えて、周壁部を乗り越えて躯体内部に浸入しようとする水はその浸入を防止されるため、笠木構造体の防水性能が更に向上する。
【００２２】
請求項３記載の発明は、請求項１記載の発明の効果に加えて、周壁部を乗り越えて躯体内部に浸入しようとする水は板状体によりその浸入を防止されるため、笠木構造体の防水性能が更に向上する。
【００２３】
請求項４記載の発明は、請求項１から請求項３のいずれかに記載の発明の効果に加えて、平坦部に浸入した少量の水は水切り孔により排出されるため、平坦部に水が滞留する虞が減少し、笠木構造体の防水性能が更に向上する。
【００２４】
請求項５記載の発明は、請求項４記載の発明の効果に加えて、外壁下地材より外方側において、水切り孔により水が排出されるため、躯体内部に水が浸入する虞が減少し、笠木構造体の防水性能が更に向上する。
【００２５】
請求項６記載の発明は、請求項１から請求項５のいずれかに記載の発明の効果に加えて、通気孔を介して内方から外方への通気機能及び防水機能を有する通気部材となるため、通気機能及び防水機能の信頼性が向上する。
【００２６】
請求項７記載の発明は、請求項６記載の発明の効果に加えて、通気部材は枠体に一体化されるため、笠木下部分への取り付けが容易となると共に通気機能及び防水機能の信頼性が向上する。
【図面の簡単な説明】
【００２７】
【図１】この発明の第１の実施の形態による笠木構造体の全体構造を示す概略断面図である。
【図２】図１で示した“Ｘ”部分に含まれる換気部材の構造を示す概略拡大断面図である。
【図３】図２で示したＩＩＩ−ＩＩＩラインの矢視図である。
【図４】図２及び図３で示した通気部材の構造を示す概略斜視図である。
【図５】図１で示した笠木構造体の第１の組立工程を示す概略図である。
【図６】図１で示した笠木構造体の第２の組立工程を示す概略図である。
【図７】図１で示した笠木構造体の第３の組立工程を示す概略図である。
【図８】図７で示したＶＩＩＩ−ＶＩＩＩラインの拡大矢視図である。
【図９】図１で示した笠木構造体の使用状態を示す概略断面図である。
【図１０】図９で示した“Ｙ”部分の拡大図であって、周壁部の周辺構造を示すものである。
【図１１】この発明の第２の実施の形態による笠木構造体の周壁部の周辺構造を示すものであって、図１０に対応するものである。
【発明を実施するための形態】
【００２８】
図１はこの発明の第１の実施の形態による笠木構造体の全体構造を示す概略断面図である。
【００２９】
尚、図は笠木構造体の短手方向断面を概略的に示すものである。図の左方向が屋外側であり、右方向が屋内側である。
【００３０】
図を参照して、笠木構造体１は、塀、バルコニー手摺、パラペット等の長手方向に延びる躯体４０において、木材からなる頂部４４を覆うように上方に設置されている。尚、躯体４０の屋外側及び屋内側端部には長手方向に延びる一対の外壁下地材４１ａ、４１ｂが配置されている。又、一対の外壁下地材４１ａ、４１ｂの外方（図の左方向又は右方向であって、躯体４０から換気部材３ａ、３ｂに対する方向）側には、長手方向に所定間隔で複数の胴縁４２（一対の胴縁４２ａ、４２ｂ）が配置されている。更に、一対の胴縁４２ａ、４２ｂの外方側には、一対のジョイナー４９ａ、４９ｂを介して、窯業系サイディングである一対の外壁材４５ａ、４５ｂが配置されている。そして、外壁下地材４１ａ、４１ｂと外壁材４５ａ、４５ｂとに挟まれる箇所であって、胴縁４２ａ、４２ｂが配置されていない部分は、上下方向に通気可能な通気路４８ａ、４８ｂとなる。通気路４８ａ、４８ｂは、図示しない小屋裏空間に連通しており、小屋裏空間において暖められた空気が上昇して通過可能である。
【００３１】
笠木構造体１は、一対の外壁材４５ａ、４５ｂ及び躯体４０の上方に設置され長手方向に延びている。又、笠木構造体１は、躯体４０の頂部４４を覆うように上方に設置され、短手方向断面が略Ｍ字型であって、頂部４４の天面５０に当接する平坦部６２を備え鋼板からなる笠木ベース６１と、笠木ベース６１を覆うように上方に設置され、長手方向に延びる笠木カバー２とから主に構成されている。又、一対の外壁材４５ａ、４５ｂと笠木ベース６１との間の箇所には、一対の換気部材３ａ、３ｂが設置されている。
【００３２】
笠木ベース６１は、上述した平坦部６２と、平坦部６２の屋外側及び屋内側端部に接続され上方に立ち上がる一対の立ち上がり部６３ａ、６３ｂと、一対の立ち上がり部６３ａ、６３ｂの各々の上方端部に接続され外方に延びる一対の肩部６４ａ、６４ｂと、一対の肩部６４ａ、６４ｂの各々の外方側端部に接続され下方に延びる一対の垂設部６５ａ、６５ｂとから主に構成されている。又、肩部６４ａ、６４ｂはいずれも同一の仮想平面上に含まれる位置関係に設定され、屋外側から屋内側にかけて下方に傾斜するように外方に延びている。
【００３３】
又、平坦部６２の短手方向中央箇所には、平坦部６２を上下方向に貫通する穿孔６８と、穿孔６８の周縁に水密に接続され上方に立ち上がる周壁部６９とが形成されており、穿孔６８には笠木ベース６１を躯体４０に取り付ける固定手段に含まれるビス７０が挿通されている。固定手段は更に、弾性を有し、周壁部６９の外径全周に水密に嵌合し、上下方向に貫通する貫通孔７１を有するプレート状の板状体である例えばエチレンプロピレンジエンゴムからなるゴム塊７２と、ビス７０の頭部７３とゴム塊７２の上面との間に設置される座金部７４とを含んでおり、穿孔６８及び貫通孔７１にはビス７０が挿通されている（図１０も併せて参照）。固定手段の詳細については後述する。
【００３４】
次に、笠木カバー２は、屋外側から屋内側に向かって下方に傾斜して延び、上述した一対の肩部６４ａ、６４ｂにより支持される天板部６と、天板部６の屋外側及び屋内側端部に接続され下方に延び、その下端において内方（図の中央方向であって、換気部材３ａ、３ｂから躯体４０に対する方向）への折り返し８ａ、８ｂをそれぞれ有する一対の側壁部７ａ、７ｂとから構成されている。尚、屋内側の側壁部７ｂには、長手方向所定間隔において、ビス等の取付具が貫通可能な複数の取付孔（図示せず）が形成されている。
【００３５】
次に、一対の換気部材３ａ、３ｂの各々は、内方から外方への通気経路を横断するように長手方向に延びている。通気経路の詳細については後述する。
【００３６】
次に、換気部材の構造について詳細に説明する。
【００３７】
図２は図１で示した“Ｘ”部分に含まれる換気部材の構造を示す概略拡大断面図であり、図３は図２で示したＩＩＩ−ＩＩＩラインの矢視図である。
【００３８】
これらの図を参照して、換気部材３ａは、鋼板からなる枠体２０と、枠体２０内に取り付けられた通気部材１３とから構成されている。
【００３９】
枠体２０は、垂直方向に延びる第１垂直部１４と、第１垂直部１４の上端側に接続され、外方に向かって略水平方向に延びる第１水平部１５と、第１水平部１５の外方側に接続され、垂直下方に延びる第２垂直部１６と、第２垂直部１６の下方側に接続され、第１水平部１５と平行に、且つ第１垂直部１４の方向に所定距離を残して延びる第２水平部１７とから構成されている。尚、第２垂直部１６には、長手方向に所定間隔で複数の開口１８が形成されている。
【００４０】
又、図２でθとして示した、第１垂直部１４と第１水平部１５との接続角度は８７°となるように設定されている。第１垂直部１４は垂直方向に設置されるため、第１水平部１５及び第２水平部１７の各々は、外方に向かって３°下方に傾斜した状態となる。又、第２水平部１７の第２垂直部１６側の接続部には、長手方向に複数の排水用の水抜き孔２４が形成されている。
【００４１】
又、第２水平部１７の内方側（図２の右方向）端部２３は上方に向かうように曲げられている。
【００４２】
通気部材１３は、短手方向（幅方向）断面が矩形形状を有すると共に長手方向に延びる棒形状に形成されている。そして、通気部材１３は枠体２０の第１水平部１５の下方面と第２水平部１７の上方面との間に覆われるように取り付けられており、その外方面と第２垂直部１６の内方面との間には空間３１が設けられている。
【００４３】
又、図３で示すように、換気部材３ａは、長手方向において枠体２０の一方端（図３の右端）から突き出ると共に枠体２０の他方端（図３の左端）から凹むように、枠体２０に取り付けられている。換気部材３ｂも同様である。この効果については後述する。
【００４４】
ここで、換気部材３ａ及び通気部材１３の詳細な構造及び効果について説明する。
【００４５】
図４は図２及び図３で示した通気部材の構造を示す概略斜視図である。
【００４６】
図を参照して、上述したように、通気部材１３は幅方向断面が矩形形状を有し、長手方向においては枠体の長手方向の長さと略同一長さである棒形状を有している。具体的には、通気部材１３は、その各々が凹凸断面形状を有する合成樹脂シートを複数積層した状態で熱融着によって相互に接続され一体化されている。そして、一方側面（内方面）から他方側面（外方面）へ貫通する通気孔２７が多数形成されている。
【００４７】
この実施の形態においては、矩形断面形状の幅方向の長さＡは２０ｍｍであり、高さに相当する長さＢは１９ｍｍとなっている。尚、このような通気部材１３は、特許第２６１０３４２号において開示されている棟カバー材と基本的に同一構造である。これによって、一定条件下にあっては、通気部材１３は通気孔２７を介しての通気を可能にすると共に、通気孔２７を介しての雨水や虫等の侵入を阻止する通気機能及び防水機能を有する。そのため、通気部材１３が含まれる換気部材や笠木構造体の通気機能及び防水機能の信頼性が向上する。又、換気部材や笠木構造体の軽量化及びコスト低減に寄与する。
【００４８】
次に、この発明の第１の実施の形態による笠木構造体１を構成する工程について説明する。
【００４９】
図５は図１で示した笠木構造体の第１の組立工程を示す概略図である。
【００５０】
図を参照して、まず、上述したように鋼板をプレス成形してなる枠体２０に覆われるように通気部材１３を取り付け、図の（１）に示す換気部材３を準備する。
【００５１】
次に、図の（２）を参照して、外壁下地材４１の外面に長手方向に所定間隔で複数の胴縁４２を配置し、胴縁４２の各々の上端部を除いた部分を外壁下地材４１に取り付ける。すると、胴縁４２はその上端部のみが外壁下地材４１に取り付けられていないため、図の（２）の実線の矢印で示すように胴縁４２の上端部を外方側に引っ張ることによって、外壁下地材４１と胴縁４２の上端部との間に隙間５７が形成される。
【００５２】
次に、図の（１）の一点鎖線の矢印で示すように、隙間５７に換気部材３の第１垂直部１４を差し込むように、換気部材３を上方から降下させて設置する。すると、第１垂直部１４が外壁下地材４１の上端部の外方側に沿って設置される。このように換気部材３を設置することによって、換気部材３の外壁下地材４１等に対する位置決めが容易になるため、当該笠木下部分（外壁材４５と、その上方に設置される図示しない笠木ベースとの間に位置する部分）への取付作業が効率的になる。
【００５３】
続いて、図６は図１で示した笠木構造体の第２の組立工程を示す概略図である。
【００５４】
図を参照して、第１の組立工程により、換気部材３は胴縁４２上に第２水平部１７が接するように設置されている。そして、胴縁４２の上端部を外壁下地材４１に取り付けると共に、複数の胴縁４２の間隔箇所において換気部材３の第１垂直部１４を外壁下地材４１に釘５８で固定する。
【００５５】
その後、鋼板よりなる長手方向に延びるジョイナー４９を、その凸部５１の上面と換気部材３の第２水平部１７の下面とが接するように、胴縁４２に釘５９で固定する。そして、外壁材４５をその上端とジョイナー４９の凸部５１の下面とが当接するように、図示しない取付用金具を介して胴縁４２に取り付ける。
【００５６】
又、躯体を挟んで反対側に位置する対称構造の笠木下部分（図示せず）にも同様に換気部材を設置する。
【００５７】
次に、このようにして笠木下部分に一対の換気部材が設置された躯体に対して、笠木ベース及び笠木カバーを固定手段により取り付ける。
【００５８】
図７は図１で示した笠木構造体の第３の組立工程を示す概略図であり、図８は図７で示したＶＩＩＩ−ＶＩＩＩラインの拡大矢視図である。
【００５９】
まず図７を参照して、換気部材３ａ、３ｂは、上述したように一対の外壁材４５ａ、４５ｂと笠木ベース６１との間の箇所に設置されている。又、換気部材３ａの第２水平部１７ａの下面と、ジョイナー４９ａの凸部５１ａの外方面と、外壁材４５ａの上端との間はシーリング材４６ａで充填されている。シーリング材４６ｂに関しても同様である。このように、ジョイナー４９を用いることによって、シーリング材４６の施工を容易としている。又、躯体４０の天面５０には防水シート４７が設けられ、少量の水が躯体４０の防水シート４７上に浸入しても躯体４０内部まで到達することを防止している。
【００６０】
そして、図７の（１）の一点鎖線の矢印で示すように、躯体４０の天面５０に対して笠木ベース６１を各々の短手方向中心が揃うように設置し、笠木ベース６１の平坦部６２を躯体４０の天面５０に当接させる。
【００６１】
次に、図７の（２）の一点鎖線の矢印で示すように、ゴム塊７２を、その短手方向中央に形成された貫通孔７１が平坦部６２の短手方向中央に形成された周壁部６９の外径全周に嵌合するように上方から押し付けて設置する。
【００６２】
ここで図８を併せて参照して、本実施の形態において、周壁部６９は、平面視円形リング状であって、外径が６ｍｍ、図示しない内径が５ｍｍ、即ち厚さが０．５ｍｍである。厚さ０．８ｍｍの平坦部６２に下穴を形成した後、その下穴周囲を絞り加工（バーリング加工）することで、上述したように平坦部６２を上下方向に貫通する穿孔６８と、穿孔６８の周縁に水密に接続され２ｍｍ上方に立ち上がる周壁部６９を形成している。
【００６３】
又、平面視円形のゴム塊７２に形成された上下方向に貫通する平面視円形の貫通孔７１の径は直径３ｍｍに設定されている。上述したようにゴム塊７２は弾性を有するため、貫通孔７１を貫通孔７１の径よりも大きい周壁部６９の外径に押し付けると、ゴム塊７２の下面の貫通孔７１周辺は押し広がり形状を回復しようとして周壁部６９の上面の外径全周に水密に嵌合することとなる。
【００６４】
尚、平坦部６２には、その短手方向屋外側及び屋内側端部に水切り孔７５ａ、７５ｂが形成されている。この水切り孔７５ａ、７５ｂによって平坦部６２に浸入した水を排出することができる。この水切り孔の詳細については後述する。
【００６５】
次に、図７の（３）の一点鎖線の矢印で示すように、穿孔６８及び貫通孔７１には上方からビス７０が挿通される。このとき、ビス７０はその頭部７３の下面に、ゴム塊７２と径が略同一の座金部７４が設けられているため、ビス７０の挿通によってゴム塊７２は上方から押し付けられ周壁部６９の外径により深く嵌合する。更に、ビス７０は躯体４０の頂部４４まで打ち込まれ、これによって笠木ベース６１は躯体４０に取り付けられる。このとき、ゴム塊７２はビス７０の取付けにより押し込まれ、その下面が平坦部６２の天面５０と当接する状態となる。
【００６６】
そして、図７の（４）の一点鎖線の矢印で示すように、笠木カバー２を笠木ベース６１の上方に設置する。笠木カバー２の屋外側の側壁部７ａの折り返し８ａを、笠木ベース６１の垂設部６５ａの下端に引っ掛け、引っ掛けた箇所を中心として笠木カバー２を回転させることで、屋内側の側壁部７ｂの折り返し８ｂも笠木ベース６１の垂設部６５ｂの下端を乗り越える。
【００６７】
そして、上述したように側壁部７ｂには、長手方向に所定間隔で取付孔が形成されているため、取付孔に図示しないビスを打ち込み垂設部６５ｂを貫通することで、笠木カバー２を安定的に設置する。尚、当該ビスは、外壁材４５ｂに到達しない長さに設定されており、外壁材４５ｂに傷を付けることがない。
【００６８】
このようにして、笠木ベース６１及び笠木カバー２は、躯体４０の上方に設置され、図１で示した笠木構造体１が構成される。
【００６９】
次に、図９は図１で示した笠木構造体の使用状態を示す概略断面図である。
【００７０】
上述したように、通気機能及び防水機能を有する通気部材１３は、笠木下部分の形状に対応すると共に枠体２０に一体化された状態となっている。そのため、換気部材３ａ、３ｂの笠木下部分への取り付けが容易となると共に、通気機能及び防水機能の信頼性が向上する。
【００７１】
又、上述したように、通気部材１３は、長手方向において枠体２０の一方端から突き出ると共に枠体２０の他方端から凹むように枠体２０に取り付けられている。従って、図３で示すように、長手方向において複数の換気部材３を連続して設置する場合には、換気部材３における通気部材１３の突き出た部分を、図３の二点鎖線で示す隣接する換気部材の枠体内に差し込んで設置すれば良い。これによって、隣接する換気部材３の連結が容易となるため、複数の連続した換気部材３の取付作業が効率化する。
【００７２】
そして、笠木構造体１の使用状態にあっては、図９の太い実線の矢印で示すように、建物内の暖まった空気は図示しない小屋裏空間と連通している通気路４８を上り、換気部材３ａの第１垂直部１４と第２水平部１７との間へ移動し、通気部材１３の通気孔を介して外方側に通過する。そして、通気部材１３を通過した空気は、第２垂直部１６の開口１８の各々を通過して、第２垂直部１６と笠木ベース６１や笠木カバー２の折り返し８ａとの間から笠木構造体１外部へ排出される。一方、外部の空気が建物内に侵入する状況の場合には、図の矢印と反対の流れになる。これによって、笠木内部（通気路４８上部）に空気が滞留することを防止し、結露や腐朽の発生を防止する。
【００７３】
又、上述したように、通気部材１３の外方面と第２垂直部１６の内面との間には空間３１が形成されている。従って、通気部材１３の外方面の全面が露出され、全ての通気孔を介して通気可能な状態となるため、通気部材１３の通気機能が確実に発揮される。
【００７４】
一方、笠木構造体１に向けて降り注ぐ雨水は、笠木カバー２の天板部６が屋内側に向かって下方に傾斜しているため、笠木カバー２の上部に滞留することなく屋内側に流され、躯体４０内部に浸入することが防止されている。又、使用状態で上方から雨水等が降り注いだ場合には、天板部６の傾斜によって屋内側に雨水等が誘導される。これによって、笠木カバー２の屋外側の側壁部７ａの外方面を流れる雨水等の量が減少し水垢等の汚れの付着を防止することができるため、屋外側から見たときの美観が向上する。
【００７５】
又、笠木構造体１に向けて水平方向や斜め下方向から吹き込む雨水についても、これらは主に屋外方向から屋内方向に向けたものであり、上述したように、換気部材３ａと外壁材４５の上端部が接する箇所も、シーリング材４６によりシールされているため、躯体４０内部への浸入が防止されている。
【００７６】
更に、換気部材３ａの第２垂直部１６の開口１８に浸入した雨水は、上述したように、一定条件下にあっては通気部材１３の通気孔を介しては内方側に移動することができないように構成されている。
【００７７】
そして、上述したように、換気部材３ａの第１水平部１５及び第２水平部１７は互いに平行に配置され、各々は外方に向かって下方に傾斜すると共に、第２水平部１７の第２垂直部１６側の接続部には水抜き孔２４が形成されている。従って、通気部材１３内に浸入した雨水は該傾斜に沿って水抜き孔２４から自然に排出される。そのため、通気部材１３の防水機能が向上する。
【００７８】
又、上述したように、第２水平部１７の内方側端部２３は上方に曲げられているため、通気部材１３の内方面に仮に少量の雨水が到達したとしても、その雨水は通気路４８内に浸入し難くなる。そして、雨水はこの内方側端部２３と第２水平部１７の傾斜とを介して水抜き孔２４から外部に排出される。そのため、通気部材１３の防水機能の信頼性がより向上する。
【００７９】
尚、躯体４０を挟んで屋内側に位置する換気部材３ｂも、換気部材３ａと同様の通気機能及び防水機能を発揮する。
【００８０】
更に、笠木カバー２の屋外側の側壁部７ａの折り返し８ａは笠木ベース６１の垂設部６５ａの下端に対して掛止しており、側壁部７ａの内方面が垂設部６５ａの外方面に両面テープを介して当接して覆うように、ビス等を打ち込むことなく取り付けられている。そのため、側壁部７ａの内方面と垂設部６５ａの外方面との間の箇所から水が笠木下領域４３（笠木ベース６１及び笠木カバー２を設置した使用状態において、笠木ベース６１と笠木カバー２とに囲われる箇所）に浸入する虞は減少している。又、屋外側から笠木構造体１を見たとき、笠木カバー２にビス等が見えることがなく、美観が向上している。
【００８１】
ここで、笠木下領域４３に少量の水は浸入することがある。これに対し、図の“Ｙ”部分に含まれる固定手段の構造により、図の一点鎖線の矢印で示すように当該浸入した水が躯体４０内部に浸入することを防止しているため以下説明する。
【００８２】
図１０は図９で示した“Ｙ”部分の拡大図であって、周壁部の周辺構造を示すものである。
【００８３】
図を参照して、上述したように、周壁部６９が平坦部６２の穿孔６８の周縁に水密に接続され上方に立ち上がるように構成されていることによって、笠木下領域４３に浸入した少量の水は周壁部６９が堤防状態となり躯体４０内部に浸入することを阻止される。そのため、図９で示した笠木構造体１の防水性能が向上し、躯体の腐朽を防止する。
【００８４】
又、ゴム塊７２が周壁部６９の外径全周に水密に嵌合していることによって、量や勢いの大きい水であってもその浸入を阻止されるため、笠木構造体１の防水性能が更に向上する。
【００８５】
更に、使用状態を基準として、ゴム塊７２の上下方向高さＨ１は、周壁部６９の上縁の上下方向高さＨ２よりも高く設定されている。又、ビス７０の頭部７３の下面とゴム塊７２の上面との間には座金部７４が設置されており、設置時には金属製の座金部７４がゴム塊７２に押し込まれることで水密に嵌合している。これによって、躯体４０内部に浸入しようとする水が、ゴム塊７２や周壁部６９を乗り越えたり、上方から穿孔６８に伝ったりすることを阻止しているため、笠木構造体１の防水性能が更に向上する。
【００８６】
そして、戻って図９を参照して、上述したように平坦部６２には水切り孔７５が形成されていることによって、図の点線の矢印で示すように、平坦部に浸入した少量の水は水切り孔７５により排出されるため、平坦部６２に水が滞留する虞が減少し、笠木構造体１の防水性能が更に向上する。
【００８７】
加えて、水切り孔７５は平坦部６２の短手方向端部に形成されており、平坦部６２の短手方向端部は、平面視において外壁下地材４１の短手方向端部よりも外方側に位置する。これによって、外壁下地材４１より外方側において、水切り孔７５により水が排出されるため、排出された水が躯体４０内部方向に向かってしまう場合等の躯体４０内部に水が浸入する虞が減少し、笠木構造体１の防水性能が更に向上する。
【００８８】
以上説明したように、この発明の第１の実施の形態に係る笠木構造体１にあっては、まず躯体４０内部に浸入しようとする水の大半は換気部材３やその周辺構造によってその浸入を阻止される。そして、少量の水が笠木下領域４３に浸入し笠木ベース６１を躯体４０に取り付けるビス７０孔から躯体４０内部に浸入しようとしても、周壁部６９、ゴム塊７２等の固定手段の構造により多段的に躯体４０内部への水の浸入を阻止し、笠木構造体１の防水性能を更に向上させたものである。
【００８９】
次に、図１１はこの発明の第２の実施の形態による笠木構造体の周壁部の周辺構造を示すものであって、図１０に対応するものである。
【００９０】
尚、第２の実施の形態による笠木構造体の基本的な構成は、上述した第１の実施の形態に係る笠木構造体１と同様であるので、相違点を中心に以下説明する。
【００９１】
図を参照して、ゴム塊３３の平面視中央に形成され上下方向に貫通する貫通孔３４は、図１０に示した第１の実施の形態に係る貫通孔３１よりもその径が狭く、ビス３５の胴部３６に略当接するように設定され、取付けの安定性を向上させている。これに伴って、周壁部３２の外径よりも貫通孔３４の径がより狭くなっており、固定手段の取付けに際しては、ゴム塊３３の貫通孔３４を穿孔３７に位置合わせして周壁部３２上に置き、ビス３５を打ち込むことによって、固定手段に含まれるゴム塊３３が周壁部３２の上縁に水密に係合する。これによって、周壁部３２を乗り越えて躯体４０内部に浸入しようとする水はその浸入を防止されるため、第１の実施の形態に係る固定手段と同様に、笠木構造体の防水性能が更に向上する。
【００９２】
尚、上記の各実施の形態では、笠木構造体には特定構造の固定手段が備えられていたが、少なくとも笠木ベースを躯体に取り付けることができるビス等の取付具が含まれていれば良い。この場合であっても、周壁部の存在により笠木構造体の防水性能は向上している。又、例えば座金部が無くとも良い。この場合も、ゴム塊はビスの取付けにより上方から押し込まれ、その下面が平坦部の天面と当接する部分が生じる。そのため、平坦部上を伝う水はゴム塊に阻まれ、周壁部に接近することが防止される。更に、固定手段にゴム塊（板状体）、座金部、ビス以外の構成要素が含まれていても良い。
【００９３】
又、上記の各実施の形態では、板状体は特定形状のゴム塊であったが、他の素材や形状の板状体であっても良い。
【００９４】
更に、上記の各実施の形態では、周壁部は特定形状であったが、その厚さ等の寸法は適宜変更することが可能であり、平坦部方向から周壁部上端にかけて狭まったり広がったりして断面形状が変化しても良い。又、周壁部の平面視形状は円形（リング状）であったが、多角形や楕円であっても良い。
【００９５】
更に、上記の各実施の形態では、周壁部は絞り加工により形成されていたが、周壁部を穿孔の周縁に水密に接続されるように形成する方法はこれに限定されず、溶接や接着剤等で形成しても良い。
【００９６】
更に、上記の各実施の形態では、平坦部に水切り孔が特定位置に形成されていたが、他の位置に形成されていても良い。又、水切り孔が形成されていなくとも良い。
【００９７】
更に、上記の各実施の形態では、笠木ベース、笠木カバーや枠体は鋼板からなるものであったが、他の素材からなるものであっても良い。例えばアルミニウムからなるものが挙げられ、笠木ベース、笠木カバーや枠体の各々は押出成形により一体的に成形することも可能である。
【００９８】
更に、上記の各実施の形態では、穿孔は平坦部の短手方向中央に形成されていたが、他の位置に形成されていても良く、その個数も限定されない。
【００９９】
更に、上記の各実施の形態では、笠木ベースが特定形状であったが、少なくとも平坦部を備えていれば他の形状であっても良い。又、笠木ベースは長手方向に延びるものでなくとも良く、例えば、躯体の長手方向に所定間隔で、複数の穿孔の各々に対応する位置にバンド状の笠木ベースが備えられる態様であっても良い。
【０１００】
更に、上記の各実施の形態では、笠木カバーが特定形状であったが、他の形状であっても良い。
【０１０１】
更に、上記の各実施の形態では、天板部の短手方向における断面形状が特定のものであったが、上方から降り注いだ雨水等を下方に誘導し、天板部の上部に水が滞留することを防止できるものであれば他の形状であっても良い。例えば、短手方向断面形状が山型であり屋外側及び屋内側に雨水等を誘導する、いわゆる両流れ型が挙げられる。
【０１０２】
更に、上記の各実施の形態では、笠木カバーの側壁部が折り返しを有し、笠木ベースの垂設部の下端に掛止するようにして取り付けられていたが、折り返しを有していなくとも良く、他の方法で取り付けられても良い。例えば、接着剤、両面テープ、ビスや釘等の取付具等を用いる方法が挙げられる。
【０１０３】
更に、上記の各実施の形態では、通気部材は特定の構造を有するものであったが、内方から外方への通気機能及び防水機能を有するものであれば他の構造であっても良い。例えば、長手方向に延びる複数の金属板が互いに短手方向（内方から外方への方向）に所定間隔離れて垂直方向に延びるように構成される通気部材であって、複数の金属板の各々には長手方向に所定間隔で複数の開口（通気孔）が形成されたもの（いわゆるバッフル構造）が挙げられる。この場合、上記の各実施の形態における通気部材と同様に、外方から内方へ雨水等が浸入することを防止しながら、内方から外方への通気を可能とすることができる。
【０１０４】
更に、上記の各実施の形態では、笠木構造体が換気部材を備えていたが、換気部材を備えていなくとも良い。
【０１０５】
更に、上記の各実施の形態では、平坦部が穿孔、周壁部及び水切り孔を除いて略全面が平坦に構成されていたが、水返しや防水板といった他の構造を付加しても良いし、少なくとも一部に傾斜を備えていても良い。
【０１０６】
更に、上記の各実施の形態では、屋内側の側壁部の内面と垂設部の外面とが取付孔を貫通するビスで取り付けられていたが、他の取付手段であっても良い。この場合、取付孔が形成されていなくとも良い。
【０１０７】
更に、上記の各実施の形態では、第１垂直部と第１水平部との接続角度は特定の角度であったが、他の角度であっても良い。
【０１０８】
更に、上記の各実施の形態では、第１水平部や第２水平部は外方に向かって特定の角度で下方に傾斜していたが、他の角度であっても良い。又、下方に傾斜していなくとも良い。
【０１０９】
更に、上記の各実施の形態では、第１垂直部は外壁下地材と胴縁との間の隙間に差し込むようにして設置されているが、第１垂直部は外壁下地材の上端部の外方側に対して設置されていれば、例えば外壁下地材の外面に直接取り付ける等、他の設置態様であっても良い。
【０１１０】
更に、上記の各実施の形態では、換気部材の枠体が特定の構造であったが、他の構造であっても良い。例えば、第１垂直部に相当する部位が存在せず、第１水平部の内方端部を外壁下地材や躯体の上端部に両面テープ等で固定する等して設置するものであっても良い。
【０１１１】
更に、上記の各実施の形態では、第１水平部と第２水平部とは平行に配置されていたが、これらは平行に配置されていなくとも良い。この場合、第２水平部の傾斜態様によっては水抜き孔の位置を変更しても良い。又、水抜き孔が無くとも良い。
【０１１２】
更に、上記の各実施の形態では、水平部の内方側端部は上方に向かうように曲げられていたが、該部分は無くとも良い。
【０１１３】
更に、上記の各実施の形態では、通気部材が枠体に対して長手方向において特定の配置態様で取り付けられていたが、通気部材はその全体が枠体内に配置された状態で取り付けられていても良い。
【０１１４】
更に、上記の各実施の形態では、通気部材が特定の寸法及び形状であったが、同様の通気機能及び防水機能を発揮するものであれば、他の寸法及び形状であっても良い。この場合、特許第２６１０３４２号の明細書に記載されている風雨試験と同一の条件で同一の効果を奏するものであることが好ましい。
【０１１５】
更に、上記の各実施の形態では、笠木下領域にブラケット等の笠木カバーを支持する支持体を設置していなかったが、笠木下領域にブラケット等の支持体を設置していても良い。この場合、設置状態における笠木カバーの形状安定性が向上する。
【０１１６】
更に、上記の各実施の形態では、笠木構造体において換気部材が一対設けられていたが、例えば外壁材や通気路が一方側にしか存在しない態様の躯体等に対しては、換気部材が当該一方側にのみ存在するものであっても良い。
【０１１７】
更に、上記の各実施の形態では、躯体の天面に防水シートが設けられていたが、防水シートとは防水紙、透湿防水フィルム、鞍掛シート、防水テープ等が含まれる。又、胴縁と外壁下地材との間の箇所にも設けられていても良い。
【符号の説明】
【０１１８】
１…笠木構造体
２…笠木カバー
３…換気部材
６…天板部
７…側壁部
８…折り返し
１３…通気部材
１４…第１垂直部
１５…第１水平部
１６…第２垂直部
１７…第２水平部
１８…開口
２０…枠体
２７…通気孔
３２、６９…周壁部
３３、７２…ゴム塊
３４、７１…貫通孔
３５、７０…ビス
３７、６８…穿孔
４０…躯体
４１…外壁下地材
４２…胴縁
４４…頂部
４５…外壁材
５０…天面
６１…笠木ベース
６２…平坦部
７３…頭部
７４…座金部
７５…水切り孔
尚、各図中同一符号は同一又は相当部分を示す。
【図１】
2018184748.tif 000003
【図２】
2018184748.tif 000004
【図３】
2018184748.tif 000005
【図４】
2018184748.tif 000006
【図５】
2018184748.tif 000007
【図６】
2018184748.tif 000008
【図７】
2018184748.tif 000009
【図８】
2018184748.tif 000010
【図９】
2018184748.tif 000011
【図１０】
2018184748.tif 000012
【図１１】
2018184748.tif 000013